(57)【要約】【課題】測定中にリアルタイムで作業者へ個々の脳磁センサが検出した脳磁の強い反応部位を明確に表示することが可能な脳磁計システムを提供する。【解決手段】  生体の活動に伴って発生する磁場分布を複数の磁束センサで同時に測定し、その測定結果から生体内部の電流分布を測定して表示する脳磁計システムにおいて、  前記測定結果を表示する表示画面中に前記複数の磁束センサが測定した複数の出力のうちの一つの出力のピークデータの値とチャネル番号をリアルタイムで表示した。【選択図】      図１
2009118910.tif 000002
【特許請求の範囲】
【請求項１】
生体の活動に伴って発生する磁場分布を複数の磁束センサで同時に測定し、その測定結果から生体内部の電流分布を測定して表示する脳磁計システムにおいて、
前記測定結果を表示する表示画面中に前記複数の磁束センサが測定した複数の出力のうちの一つの出力のピークデータの値とチャネル番号をリアルタイムで表示したことを特徴とする脳磁計システム。
【請求項２】
前記一つの出力のピークデータの値とチャネル番号は作業者が任意に選択可能としたことを特徴とする請求項１に記載の脳磁計システム。
【発明の詳細な説明】
【技術分野】
【０００１】
本発明は、脳磁計（ＭＥＧ・・・Ｍａｇｎｅｔｏｅｎｃｅｐｈａｌｏｇｒａｐｈ）システムに関し、複数の磁束センサからの出力のうち一つの出力をリアルタイムで表示するようにした脳磁計システムに関するものである。
【背景技術】
【０００２】
近年の超伝導デバイス技術の発展に伴い、超電導量子干渉デバイス（superconductive  quantum  interference  device、以下磁束センサという)を利用した脳磁計システムが、医療診断装置として応用されつつある。測定磁場から心疾患や脳機能の解明を行うためには、その発生源である電流源の位置を特定する必要がある。そのためには、測定磁場から電流分布を探すための逆問題を解く必要がある。従って、このような逆問題を高速、かつ、高精度に解くことによって、生体内の活動領域を位置推定することができる脳磁計システムが望まれている。
【０００３】
脳磁計システムに関する先行技術としては下記の特許文献が知られている。
【特許文献１】特開平１０−１２７５９２号公報
【特許文献２】特開２００２−２９１７１３号公報
【特許文献３】特開２００３−２３０５４６号公報
【０００４】
図３は脳磁計システムの表示画面の従来例を示す図である。
なお、表示画面以外の生体磁場測定装置部分については本発明では論じないので省略する。
図３において、中心から上部に位置する一点鎖線で囲ったイで示す部分は頭部に円状に均等に配置した複数の磁束センサＡのイメージを示し、中心から下部に位置する一点鎖線で囲ったロで示す部分は同じく頭部に円状に均等に配置した複数の脳波センサＢのイメージを示している。これらのセンサにはそれぞれ符号や色づけが施され、センサを特定することが可能となっている。
【０００５】
また、一点鎖線ハで囲った部分は全ての磁束センサから出力するアナログ信号をデジタル信号にＡ／Ｄ変換した値を時系列に表示したものである。このハで囲った部分のグラフには磁束センサが配置された部位に対して色付けがされており、色に応じてどの部位から信号が発信されているかを推定できるようになっている。
【０００６】
図に示すように複数の磁束センサのうちいずれかのセンサ出力が上下に強く変化するとそのセンサからのピーク値が突出して表示されているのがわかる。
また、下部に位置する一点鎖線ニで囲った部分は個々の脳波センサ（Fｐ1-A1，01-A1・・・等）から出力する全てのアナログ信号をデジタル信号にＡ／Ｄ変換した値を時系列に表示したものである。
【０００７】
図４は生体磁場測定装置（図示省略）で測定した信号の処理の流れを示すシステム構成図である。図４に示すように測定信号１は、表示手段２によりリアルタイムで図３で示すような表示形式で表示され、また、測定信号１をメモリ３に保存する。
メモリ３に保存されたデータは後に演算・解析手段４で解析されてピークサーチ機能を利用して個々の信号のピークが解析される。
【発明の開示】
【発明が解決しようとする課題】
【０００８】
しかしながら、上記従来技術においては次のような課題があった。
即ち、従来は測定終了後にメモリ３に保存された測定データの読込みを行い、演算・解析手段を用いて個々の磁束センサで検出した信号のピークサーチを行なっている。そのため、測定中の強い反応部位は波形データの目視による判断となり、ピークサーチは測定終了後、メモリ３に保存された測定データの読込みを行った後にしか出来ない。
従って本発明は、測定中にリアルタイムで作業者へ個々の脳磁センサが検出した脳磁の強い反応部位を明確に表示することが可能な脳磁計システムを提供することを目的としている。
【課題を解決するための手段】
【０００９】
このような課題を達成するための本発明の脳磁計システムは、請求項１においては、
生体の活動に伴って発生する磁場分布を複数の磁束センサで同時に測定し、その測定結果から生体内部の電流分布を測定して表示する脳磁計システムにおいて、
前記測定結果を表示する表示画面中に前記複数の磁束センサが測定した複数の出力のうちの一つの出力のピークデータの値とチャネル番号をリアルタイムで表示したことを特徴とする。
【００１０】
請求項２においては、請求項１に記載の脳磁計システムにおいて、
前記一つの出力のピークデータの値とチャネル番号は作業者が任意に選択可能としたことを特徴とする。
【発明の効果】
【００１１】
以上説明したことから明らかなように本発明の請求項１及び２によれば、次のような効果がある。
本発明では、測定結果を表示する表示画面中に複数の磁束センサが測定した複数の出力のうちの一つの出力のピークデータの値とチャネル番号をリアルタイムで表示すると共に一つの出力のピークデータの値とチャネル番号は作業者が任意に選択可能としたので、
測定中にリアルタイムで作業者へ脳磁の強い反応部位を明確に表示することができ、迅速な対応が可能となる。
【発明を実施するための最良の形態】
【００１２】
図１は本発明の脳磁計システムの実施形態の一例を示す説明図である。
図１において、図３の従来の表示画面と異なる点は画面右上の点線Ｃで囲った部分にピークデータの値とチャネル番号を表示した点、および点線Ｄで囲った部分に作業者が任意に選択した着目チャネルを表示した点である。
【００１３】
図２は本発明における信号の処理の流れを示すシステム構成図である。図２に示すように測定信号１は、測定した直後に演算手段５により演算処理が行なわれ表示手段２により図１で示すような表示形式でリアルタイム表示される。なお、測定信号１をメモリ３に保存する機能は従来と同様である。即ち、メモリ３に保存されたデータは後に演算・解析手段４で解析されてピークサーチ機能により信号のピークが解析される。
【００１４】
図１ではチャネル０が選択され（一点鎖線Ｄ部参照）、リアルタイムでのピークデータの絶対値が４０６（Ａ／Ｄ）であることを示している（一点鎖線Ｃ部参照）。この絶対値表示は例えば１乃至３秒間隔で任意に選択することができる。なお、チャネルの選択は作業者が画面を見ながらマウスにより所望の磁束センサをクリックしたり、図示しないキーボードから入力することにより行なわれる。
【００１５】
上記の構成によれば、測定終了後にしか行えなかったピークサーチ機能が、測定中にリアルタイムで行うことができる。即ち、波形データの目視による反応部位の推定を、ＣおよびＤで囲った部分からチャネル番号とデータ値の表示により明確に判断することが出来る。
【００１６】
次に脳磁計システムで表示される周波数解析結果表示部について説明する。
脳磁計システムの解析ツールとして周波数解析の需要が大きいが、周波数解析では時間の要素が分かりづらくなる。
【００１７】
図５は従来の周波数解析結果の表示例を時系列で示す表示画面である。縦軸は周波数の振幅（強度）を横軸は周波数（Ｈｚ）を示しており、ここでは、θ波が強くβ波，γの振幅が小さいことが分かる。このような周波数成分の表示は測定終了後のデータ解析ツールとして利用される。なお、周波数は脳磁センサで検出したものである。
図示の例では、対象チャネル（図の例ではチャネル番号１３が選択されている）と開始時間（−８０ｍｓｅｃ）を入力し、その信号の周波数成分の振幅の強度を表示した例を示している。
【００１８】
図６は従来の周波数解析の信号処理の流れのシステム構成図を示すものである。
測定信号１０はメモリ１１に保存され逐次周波数解析手段に送出されて解析され、図５に示すように周波数と振幅の強さに表示される。
【００１９】
一般に周波数解析の結果を時系列で比較する場合、複数のグラフが必要となるので新たにグラフを開き、開始時間を変更し周波数解析を行う必要がある。測定が終了しデータ保存が行われたもののみ、周波数解析が可能となる。
ここでは、周波数解析の結果を一つのグラフで表示することにより時系列で比較しやすくした。即ち、解析ツールとして需要の高い周波数解析を測定収録後に行うのではなく、測定中にリアルタイムに行い解析結果を表示する。
【００２０】
図７（ａ，ｂ）は改善した周波数解析画面の一例を示すもので、図７（ａ）の上部に示すグラフは時系列で周波数解析結果を表示したものであり、図７（ａ）の下部に示すグラフは現時刻の周波数特性を表示したものである。
【００２１】
また、図７（ｂ）は図７（ａ）の上部に示すグラフの一部をカーソル（図中Ｈで示す部分）で囲い、そのカーソル位置を過去に移動させるようにしたもので、その場合、画面の下部にはカーソル位置に対応する過去の周波数特性を示すようにしたものである。
【００２２】
図８は図７に示す画面表示をするための信号処理の流れのシステム構成図を示すものである。
図に示すように測定信号１は逐次周波数周波数解析手段１２ａで解析されて表示手段１３に送出され、リアルタイムに図７の上部に示すような周波数解析結果が表示される。
【００２３】
図７（ａ，ｂ）に戻り、図７（ａ）の上部の一点鎖線Ｅで囲った部分はチャネル０が選択されていることを示し、一点鎖線Ｆで囲った部分はδ波（青）、θ波（橙）、α波（茶）、β波（緑）、γ波（灰）に表示分けされている。そして、一点鎖線Ｇで囲った部分には時系列で周波数解析結果を表示するが、この場合、縦方向に時系列に検出した周波数が周波数別に例えばθ波が検出されれば橙色が、α波が検出されれば茶色が、β波が検出されれば緑色が表示されるようになっている。
【００２４】
図７（ａ）の下部の現時刻の周波数特性は縦軸は振幅の強さを示し、横軸は周波数を表示している。図７（ａ）の下部の図によれば磁束センサは現時刻ではθ波、α波、β波が比較的に強くγ波も出ていることを示している。
また、図７（ｂ）の下部に示すカーソルいちに対応する過去の周波数はθ波の振幅が比較的に強くα波（茶）、β波（緑）、γ波（灰）も検出されていることを示している。
【００２５】
このような表示システムによれば、周波数解析の結果を時系列に表示し、一つのグラフで過去の解析結果も参照することが出来る。
また、周波数成分の強度を色で表現することにより、２次元のグラフで３つの要素（周波数成分・強度・時間）を参照することができる。
【００２６】
なお、以上の説明は、本発明の説明および例示を目的として特定の好適な実施例を示したに過ぎない。
従って本発明は、上記実施例に限定されることなく、その本質から逸脱しない範囲で更に多くの変更、変形を含むものである。
【図面の簡単な説明】
【００２７】
【図１】本発明の脳磁計システムの表示例を示す図である。
【図２】本発明の脳磁計システムの表示部の構成を示すブロック図である。
【図３】従来の脳磁計システムの表示例を示す図である。
【図４】従来の脳磁計システムの表示部の構成を示すブロック図である。
【図５】周波数解析を行うための表示画面の一例を示す図である。
【図６】図５の周波数解析を行うための表示画面を表示するためのブロック構成図である。
【図７】改善した周波数解析を行うための表示画面の一例を示す図である。
【図８】図７の周波数解析を行うための表示画面を表示するためのブロック構成図である。
【符号の説明】
【００２８】
Ａ            磁束センサ
Ｂ            脳波センサ
１，１０      測定信号
２，１３      表示手段
３，１１      メモリ（データ保存）
４            演算・解析手段
１２          周波数解析手段
【図２】
2009118910.tif 000003
【図４】
2009118910.tif 000004
【図６】
2009118910.tif 000005
【図８】
2009118910.tif 000006
【図１】
2009118910.tif 000007
【図３】
2009118910.tif 000008
【図５】
2009118910.tif 000009
【図７】
2009118910.tif 000010